(57)【特許請求の範囲】
【請求項１】
複数の導体を絶縁樹脂でモールドしながら連続成形しているフラットハーネスにおいて、
少なくとも一方側の幅方向の絶縁に沿って電線挿入部を有する延在部を一体成形で設け、
上記電線挿入部は、外面に開口させた凹部からなり、開口を通して押し込まれる電線を内嵌保持する構成としていることを特徴とするフラットハーネス。
【請求項２】
複数の導体の上下両面を絶縁フィルムでラミネートしているフラットハーネスにおいて、
少なくとも一方側の幅方向の端縁に沿って、電線挿入部を有する延在部材を溶着あるいは接着して連結し、
上記電線挿入部は、外面に開口させた凹部からなり、開口を通して押し込まれる電線を内嵌保持する構成としていることを特徴とするフラットハーネス。
【請求項３】
上記電線挿入部を太物電線を１本または細物電線を１〜３本挿入できる大きさとし、かつ、該電線挿入部を１個または複数個を並列して設け、さらに、該電線挿入部を設けた上記延在部または延在部材は、幅方向の端縁の沿って全長または所要部分に設けている請求項１または請求項２に記載のフラットハーネス。
【発明の詳細な説明】
【０００１】
【発明の属する技術分野】
本発明は自動車に配策されるフラットハーネスに関し、詳しくは、回路増設時にフラットハーネスに電線を追加配線出来るようにするものである。
【０００２】
【従来技術】
従来、自動車のドア、ルーフ、トランクルーム、シート下部等のワイヤハーネスを配索するスペースが狭く平坦な箇所では、フラットハーネスがワイヤハーネスとして用いられている。
このフラットハーネスとしては、平行配線した導体を絶縁樹脂でモールドしながら連続成形しているものと、平行配線した導体の両面を絶縁樹脂フィルムでラミネートしたものがある。
【０００３】
また、この種のフラットケーブルで、回路数を増設可能としたものとして、特開平５−６２５２７に、図１１に示すように、フラットハーネス１の幅方向の一端に凹部１ａ、他端に凹部１ａに係止すつ凸部１ｂを設け、複数のフラットハーネス１−１、１−２を連結するものが提案されている。
【０００４】
【発明が解決しようとする課題】
上記絶縁樹脂でモールドするフラットハーネスおよび絶縁樹脂フィルムでラミネートするフラットハーネスで、後から回路の追加することはできず、従来はフラットハーネスを積層する等して回路を増加している。
上記フラットハーネスを積層して通過する場合、および図１１に示すフラットハーネスを幅方向に連続していく場合等、いずれの場合も、フラットハーネス内の導体が追加導体となるため、その許容電流量は導体の電流量で通常小電流量である。大電流回路、中電流回路を必要とする電源回路等では、フラットハーネスを増加しても、所要の回路を増設することはできない問題がある。
【０００５】
本発明は上記した問題に鑑みてなされたもので、所要電流量の回路をフラットハーネスに追加できるようにすることを課題としている。
【０００６】
【課題を解決するための手段】
上記問題を解決するため、本発明は、第一に、複数の導体を絶縁樹脂でモールドしながら連続成形しているフラットハーネスにおいて、
少なくとも一方側の幅方向の絶縁に沿って電線挿入部を有する延在部を一体成形で設け、
上記電線挿入部は、外面に開口させた凹部からなり、開口を通して押し込まれる電線を内嵌保持する構成としていることを特徴とするフラットハーネスを提供している。
【０００７】
上記モールド成形して形成するフラットハーネスでは、成形時に電線挿入部を有している延在部を一体成形で設けている。このように、フラットハーネスを延在部付きとして成形しておくと、新たに回路の追加がある場合には、延在部の電線挿入部に電線を押し込むだけで、フラットハーネスに所要電流量の電線を容易に取り付けることができる。
【０００８】
上記電線挿入部は、例えば、断面円形の凹部を電線直径より小径とした挿入口と連通させ、この挿入口を外面に開口させ、挿入口より電線を穴に押し込むことにより、電線を保持する構成としている。よって、断面円形の径を予め挿入する電線径に応じて設定しておくと、挿入する電線をガタつきなく保持することができる。
また、上記電線挿入部は、フラットハーネスにおいて一方側の幅方向の端縁に設けてもよいし、両側に設けてもよい。さらに、上記電線挿入部を一方側の端縁に複数個並設してもよい。
【０００９】
なお、上記フラットハーネスの内部にモールドされる導体は、銅箔を打ち抜いた薄肉導体、角導体、単芯線等のいずれでもよい。
【００１０】
本発明は、第二に、複数の導体の上下両面を絶縁フィルムでラミネートしているフラットハーネスにおいて、
少なくとも一方側の幅方向の端縁に沿って、電線挿入部を有する延在部材を溶着あるいは接着して連結し、
上記電線挿入部は、外面に開口させた凹部からなり、開口を通して押し込まれる電線を内嵌保持する構成としていることを特徴とするフラットハーネスを提供している。
【００１１】
上記ＦＦＣ、ＦＰＣ等からなる複数の導体の両面を絶縁樹脂フィルムでラミネートしている場合には、前記のようにモールド樹脂と一体成形で延在部を設けることができないため、電線挿入部を有した延在部材を予め成形しておき、これをフラットハーネスにおいて少なくとも一方側の幅方向の端縁に沿って溶着あるいは接着して連結している。
このように、電線挿入部を有した延在部を溶着してフラットハーネスに取り付けるため、長さ方向において、必要な箇所に必要な長さの延在部を設けることができるという利点がある。
【００１２】
また、いずれの場合も、フラットハーネスに増設する予定の電線に合わせて、電線挿入部は太物電線を１本または細物電線を１〜３本挿入できる大きさとし、かつ、電線挿入部を１個または複数個を並列し、さらに、該電線挿入部を設けた上記延在部または延在部材は、幅方向の端縁に沿って全長または所要部分に設けている。
【００１３】
【発明の実施の形態】
以下、本発明の実施形態を図面を参照して説明する。
図１および図２は第１実施形態のフラットハーネス１０を示す。
フラットハーネス１０は、図１に示すように、複数の導体１１を、絶縁樹脂１２でモールドしながら連続成形しており、左側の幅方向の端縁１２ａに沿って電線挿入部１３を有する延在部１４を一体成形で設けている。第１実施形態では、導体１１は５本で、５回路のフラットハーネスとしている。
【００１４】
延在部１４は、絶縁樹脂１２の幅方向の端縁１２ａに沿って全長に渡って連続的に設け、該延在部１３に電線挿入部１３を凹設している。電線挿入部１３は断面円形１３ａと、断面円形部１３ａの一部を狭い挿入口１３ｂに連続させた凹部からなり、挿入口１３ｂを外面に開口している。
【００１５】
第１実施形態では、太物電線Ｗ１を増加するとため、絶縁樹脂１２の厚みよりも延在部１４の厚みを大きくし、電線挿入部１３の断面円形部１３ａの断面積を大きくしている。
【００１６】
上記電線挿入部１３に１本の太物電線Ｗ１を挿入する場合は、図２に示すように、挿入口１３ｂを電線Ｗ１を押し込んで、断面円形部１３ａに電線Ｗを押し込んで取り付けている。
【００１７】
上記構成とすると、導体１１からなる５回路を取り付けた後に回路を増やす場合において、追加する太物電線Ｗ１を電線挿入部１３に押し込むことにより、電源回路を増設することができる。
【００１８】
図３は第１実施形態の第１変形例を示し、１本の太物電線の代わりに、２本の細物電線である電線Ｗ２を電線挿入部１３に挿入して回路の増設をしている。
【００１９】
図４は第１実施形態の第２変形例を示し、フラットハーネス２０には、絶縁樹脂１２の一方側の幅方向の端縁１２ａに２の電線挿入部２３、２３’を備えた延在部２４を一体成形で設けている。これら、２の電線挿入部２３、２３’の夫々に２本の太物電線を押し込んで取り付けることができる。
【００２０】
図５は第１実施形態の第３変形例を示す。
フラットハーネス３０は、絶縁樹脂１２の左右両側端縁１２ａ、１２ｂから電線挿入部３３ａ、３３ｂをそれぞれ設けた延在部３４ａ、３４ｂを一体成形で設けている。
【００２１】
図６は第１実施形態の第４変形例を示す。
フラットハーネス４０は、絶縁樹脂１２の一方側の幅方向の端縁１２ａに沿って設けた延在部４４に、側面を開口した電線挿入部４３を設けている。即ち、電線挿入部の向きを上方から側面に変えている。
【００２２】
図７は第１実施形態の第５変形例を示す。
フラットハーネス５０は、絶縁樹脂１２の幅方向の端縁１２ａに沿って設ける延在部５４の厚さを絶縁樹脂１２の厚みと同一とし、該延在部５４に電線挿入部５３を設けている。この電線挿入部５３には細物電線が挿入され、この状態で、延在部５４がフラットハーネス５０より突出しない構成とすることができる。
【００２３】
図８及び図９は第２実施形態に係るフラットハーネス６０を示す。
フラットハーネス６０は、図８に示すように、複数の導体６１の上下両面を、絶縁樹脂フィルム６２、６３でラミネートしているＦＦＣあるいはＦＰＣからなる。このフラットハーネス６０には、別体で成形した電線挿入部６５を有する延在部材６６を、フラットハーネス６０の一側の幅方向の端縁６０ａに沿って溶着あるいは接着して連結させている。
【００２４】
フラットハーネス６０に電線Ｗ１を挿入する場合は、図９に示すように、電線挿入部６５における断面円形部６５ａの外面と接する開口部６５ｂに電線Ｗ１を押し込み、断面円形部６５ａに電線Ｈを収容保持している。
【００２５】
図１０は第２実施形態の変形例を示す。
フラットハーネス７０には一方側の幅方向の端縁７０ａに、電線挿入部分７５を設けた延在部材７６を長さ方向に部分的に溶着して連結している。このように部分的に設けると、必要箇所だけ電線Ｗを増設することができる。
【００２６】
【発明の効果】
以上の説明より明らかなように、本発明によれば、フラットハーネスの幅方向の端縁に沿って電線挿入部を有する延在部を一体成形し、あるいは延在部材を溶着や接着して設けているため、回路の追加のある場合には上記電線挿入部に電線を押し込んで取り付けることで、容易に回路の追加を簡単に行うことができる。また、上記電線挿入部の大きさ、取り付ける箇所、あるいは延在部の長さを変えることで追加する電線の種類は配線長さに対応させることができる。
【図面の簡単な説明】
【図１】第１実施形態のフラットハーネスを示す一部断面斜視図である。
【図２】第１実施形態のフラットハーネスに電線を取り付けた状態を示す一部断面斜視図である。
【図３】第１実施形態の第１変形例を示す断面図である。
【図４】第１実施形態の第２変形例を示す一部断面斜視図である。
【図５】第１実施形態の第３変形例を示す一部断面斜視図である。
【図６】第１実施形態の第４変形例を示す一部断面斜視図である。
【図７】第１実施形態の第５変形例を示す一部断面斜視図である。
【図８】第２実施形態のフラットハーネスを示し、（Ａ）は溶着前の一部断面斜視図、（Ｂ）は溶着後の一部断面斜視図である。
【図９】第２実施形態のフラットハーネスに電線を取り付けた状態を示し、（Ａ）は一部断面斜視図、（Ｂ）は断面図である。
【図１０】第２実施形態の変形例を示す一部断面斜視図である。
【図１１】従来のフラットハーネスを示す一部断面斜視図である。
【符号の説明】
１０、６０  フラットハーネス
１１、６１    導体
１２  絶縁樹脂
１３  電線挿入部
１３ａ  断面球形部
１３ａ’開口部
１４  延在部
６２、６３  絶縁樹脂フィルム
６６  延在部材
Ｗ  電線
【図１】
0003562489.tif 000002
【図２】
0003562489.tif 000003
【図３】
0003562489.tif 000004
【図４】
0003562489.tif 000005
【図５】
0003562489.tif 000006
【図６】
0003562489.tif 000007
【図７】
0003562489.tif 000008
【図８】
0003562489.tif 000009
【図９】
0003562489.tif 000010
【図１０】
0003562489.tif 000011
【図１１】
0003562489.tif 000012